(57)【要約】【課題】複数の情報の取得結果を切り替えて表示することにより、ユーザーの操作を容易にできる電子時計を提供すること。【解決手段】電子時計１０は、衛星信号を受信する受信手段１２２Ａと、衛星信号に基づいて、第１情報および第２情報を取得する情報取得手段１２２Ｂと、情報取得手段１２２Ｂによる第１情報および第２情報の取得結果を表示する情報取得結果表示手段１５３Ａと、を有する。【選択図】図４
2018105882.tif 000002
【特許請求の範囲】
【請求項１】
衛星信号を受信する受信手段と、
前記受信手段で受信した衛星信号に基づいて情報を取得する情報取得手段と、
前記情報取得手段による前記情報の取得結果を表示する情報取得結果表示手段と、
平面視で文字板の左半分の領域または右半分の領域に配置されて指針を備える小窓と、を有し、
前記情報取得結果表示手段は、前記小窓に設けられた情報取得結果を示す表示を、前記小窓の指針で指示することで情報取得結果を表示し、
前記小窓に設けられた情報取得結果を示す表示は、
前記小窓が前記文字板の左半分の領域に位置する場合は、前記小窓の左半分の領域に設けられ、
前記小窓が前記文字板の右半分の領域に位置する場合は、前記小窓の右半分の領域に設けられることを特徴とする電子時計。
【請求項２】
請求項１に記載の電子時計において、
前記情報は、閏秒に関する閏秒情報であることを特徴とする電子時計。
【請求項３】
請求項１または請求項２に記載の電子時計において、
ユーザーによって操作される第１操作部を有し、
前記情報取得結果表示手段は、
前記第１操作部が操作された場合に、前記情報の取得結果を表示することを特徴とする電子時計。
【請求項４】
請求項３に記載の電子時計において、
前記情報取得結果表示手段は、前記情報の取得結果を表示した後、所定時間内に前記第１操作部の操作がない場合に、情報取得結果の表示を終了することを特徴とする電子時計。
【請求項５】
請求項１から請求項４のいずれか一項に記載の電子時計において、
ユーザーによって操作される第２操作部を有し、
前記情報取得結果表示手段は、前記第２操作部が操作された場合に、情報取得結果の表示を終了することを特徴とする電子時計。
【請求項６】
請求項１から請求項５のいずれか一項に記載の電子時計において、
少なくとも２つの指針を有し、
前記情報取得結果表示手段は、前記２つの指針の一方の指針により前記情報取得結果を表示し、他方の指針で前記情報取得結果を表示する情報の内容を表示することを特徴とする電子時計。
【請求項７】
請求項６に記載の電子時計において、
クロノグラフ機能を有し、
文字板には、現在時刻の秒を示す秒針が設けられた小窓と、前記クロノグラフ機能における計測時間の分を示すクロノグラフ分針が設けられた小窓と、前記クロノグラフ機能における計測時間の時を示すクロノグラフ時針が設けられた小窓とが配置され、
前記２つの指針の一方の指針は、前記秒針であり、
前記２つの指針の他方の指針は、前記クロノグラフ時針であり、
前記情報取得結果表示手段は、前記秒針で前記情報取得結果を表示し、かつ、前記クロノグラフ時針で前記情報取得結果を表示する情報の内容を表示することを特徴とする電子時計。
【発明の詳細な説明】
【技術分野】
【０００１】
本発明は、衛星からの情報を受信する電子時計に関する。
【背景技術】
【０００２】
従来、受信状態を容易に把握することができる衛星信号受信装置（ＧＰＳ時刻修正装置付き腕時計）が知られている（特許文献１）。
特許文献１に記載のＧＰＳ時刻修正装置付き腕時計では、位置情報衛星から送信される衛星信号を受信する受信部と、衛星信号の受信状態を表示する受信状態表示装置と、受信部で受信している衛星信号の受信状態を判別する受信状態判別手段と、受信状態表示装置を制御して受信状態判別手段で判別した受信状態を表示する表示制御手段とを備えている。受信状態判別手段は、衛星信号を受信している位置情報衛星の数と、各受信信号のレベルに基づいて受信状態のレベルを判別する。そして、表示制御手段は、受信状態判別手段で判別した受信状態レベルを受信状態表示装置により表示させる。これにより、ＧＰＳ時刻修正装置付き腕時計のユーザーは、受信状態を容易に把握することができる。
【先行技術文献】
【特許文献】
【０００３】
【特許文献１】特開２００９−１８０５５５号公報
【発明の概要】
【発明が解決しようとする課題】
【０００４】
ところで、特許文献１のＧＰＳ時刻修正装置付き腕時計では、時刻を表示する通常表示状態において、現在時刻を計測する測時モードが選択された状態で、受信結果表示モードがユーザーの操作により選択されると、受信結果表示モードに移行し、測時モードの受信結果が表示される。一方、現在位置を計測する測位モードが選択された状態で、受信結果表示モードがユーザーの操作により選択されると、受信結果表示モードに移行し、測位モードの受信結果が表示される。
【０００５】
しかしながら、特許文献１のＧＰＳ時刻修正装置付き腕時計では、測時モードおよび測位モードの受信結果を連続して表示するためには、必ず各モードに移行した後でなければ受信結果（情報の取得結果）を表示することができず、操作が煩雑であるという課題がある。
【０００６】
本発明の目的は、複数の情報の取得結果を切り替えて表示することにより、ユーザーの操作を容易にできる電子時計を提供することにある。
【課題を解決するための手段】
【０００７】
本発明の電子時計は、衛星信号を受信する受信手段と、前記受信手段で受信した衛星信号に基づいて第１情報および第２情報を取得する情報取得手段と、前記情報取得手段による前記第１情報および前記第２情報の取得結果を表示する情報取得結果表示手段と、を有し、前記情報取得結果表示手段は、前記第１情報の取得結果を表示した後に、前記第２情報の取得結果を表示することを特徴とする。
【０００８】
本発明では、衛星から送信される衛星信号を受信する受信手段と、受信した衛星信号に基づいて第１情報および第２情報を取得する情報取得手段と、第１情報および第２情報のそれぞれの取得結果を表示する情報取得結果表示手段を有している。この情報取得結果表示手段は、第１情報の取得結果を表示した後に、第２情報の取得結果を表示する。
ここで、第１情報および第２情報としては、衛星信号から取得される時刻情報、受信した衛星信号の情報に基づいて算出される位置情報、衛星信号から取得される閏秒に関する閏秒情報、週情報（週番号）等が例示できる。
このような構成により、情報取得結果表示手段によって、第１情報の取得結果を表示した後に、第２情報の取得結果が表示されるので、ユーザーは、第１情報の取得結果を認識した後、連続して第２情報の取得結果を認識できる。すなわち、本発明では、複数の情報（第１情報および第２情報）の取得結果を切り替えて連続して表示することにより、特許文献１のように受信モードを切り替えてから受信結果表示の操作を行う必要が無いため、第１情報および第２情報の取得結果を認識するために行うユーザーの操作を容易にできる。
【０００９】
本発明の電子時計において、前記第１情報および前記第２情報のいずれか一方は、閏秒に関する閏秒情報であることが好ましい。
本発明では、第１情報および第２情報のいずれか一方が閏秒に関する閏秒情報である。このため、ユーザーは、少なくとも閏秒情報の取得結果を容易に認識できる。すなわち、ユーザーが閏秒情報の取得が必要であることを認識していなくても、時刻情報や位置情報の取得結果を表示した際に、閏秒情報の取得結果も表示するため、ユーザーは閏秒情報の取得結果を容易に認識できる。このため、閏秒情報の取得に成功していない場合には、ユーザーに対して閏秒情報の取得を促すことができ、閏秒の更新日時までに閏秒情報を取得できる確率を向上できる。
【００１０】
本発明の電子時計は、ユーザーによって操作される第１操作部を有し、前記情報取得結果表示手段は、前記第１操作部が操作された場合に、前記第１情報の取得結果を表示し、前記第１情報の取得結果の表示中に前記第１操作部が操作された場合に、前記第２情報の取得結果を表示することが好ましい。
本発明では、現在時刻を表示する通常時刻表示中などに、ユーザーが第１操作部を操作すると、情報取得結果の表示モードに移行して、情報取得結果表示手段が第１情報の取得結果を表示する。また、第１情報の取得結果の表示中に前記第１操作部が操作された場合は、前記第２情報の取得結果を表示する。これにより、ユーザーは、第１操作部を操作することだけで、第１情報の取得結果および第２情報の取得結果を認識することができる。また、第１操作部を操作しない限りは、情報取得結果の表示が維持されるため、ユーザーは例えば第１情報の取得結果を確認してから、第１操作部を操作して第２情報の取得結果の表示に切り替えることができる。したがって、ユーザーは、情報取得結果を確実に把握できる。
【００１１】
本発明の電子時計において、ユーザーによって操作される第１操作部を有し、前記情報取得結果表示手段は、前記第１操作部が操作された場合に、前記第１情報の取得結果を表示し、前記第１情報の取得結果を表示した後、所定時間が経過した後に、前記第２情報の取得結果を表示することが好ましい。
本発明では、現在時刻を表示する通常時刻表示中などに、ユーザーが第１操作部を操作すると、情報取得結果の表示モードに移行して、情報取得結果表示手段が第１情報の取得結果を表示する。その後、所定時間が経過すると、情報取得結果表示手段は第２情報の取得結果を表示する。これにより、ユーザーは、第１情報の取得結果が表示された後、所定時間が経過すると、特別な操作をすることなく、第２情報の取得結果を認識することができる。
【００１２】
本発明の電子時計において、前記情報取得結果表示手段は、前記第１情報の取得結果および前記第２情報の取得結果を交互にかつ繰り返し表示することが好ましい。
本発明では、情報取得結果表示手段は、第２情報の取得結果を表示した後、ユーザーが第１操作部を再度操作したり、所定時間が経過したりすると、第１情報の取得結果を再度表示する。すなわち、情報取得結果表示手段は、第１操作部が操作されるごとに、第１情報および第２情報の取得結果を交互に循環して表示したり、所定時間が経過するごとに、第１情報および第２情報の取得結果を交互に循環して表示したりする。
これにより、ユーザーは、情報取得結果の表示モードを終了することなく、第１情報および第２情報の取得結果を繰り返し表示させて確認することができる。
【００１３】
本発明の電子時計において、前記情報取得結果表示手段は、前記第１情報の取得結果および前記第２情報の取得結果のいずれかを表示した後、所定時間内に前記第１操作部の操作がない場合に、情報取得結果の表示を終了することが好ましい。
本発明では、第１操作部が操作された場合に第１情報の取得結果および第２情報の取得結果のいずれかが表示される。また、第１情報の取得結果および第２情報の取得結果のいずれかが表示されている状態で、所定時間内に第１操作部が操作されない場合に、情報取得結果の表示を終了させる。
これにより、例えば、第１情報の取得結果が表示されている状態で、第１操作部が所定時間内に操作されれば、第２情報の取得結果が表示される。そして、第２情報の取得結果が表示されている状態で、第１操作部が所定時間内に操作されれば、第１情報の取得結果が表示される。一方、第１情報の取得結果および第２情報の取得結果のいずれかが表示されている状態で、所定時間内に第１操作部の操作がなされない場合には、その取得結果表示を終了して通常運針に戻ることとなる。
すなわち、本発明では、ユーザーが第１操作部の操作を所定時間内にしなければ、自動的に通常運針に戻るため、情報取得結果が表示されたまま放置されることを防止でき、現在時刻を確認できる状態に自動的に戻るため、利便性を向上できる。
【００１４】
本発明の電子時計は、ユーザーによって操作される第２操作部を有し、前記情報取得結果表示手段は、前記第２操作部が操作された場合に、情報取得結果の表示を終了することが好ましい。
本発明では、情報取得結果の表示を終了させる第２操作部を備えている。これにより、第２操作部がユーザーにより操作されると、その時点で情報取得結果の表示を終了できる。したがって、所定時間経過してから情報取得結果の表示を終了する場合に比べて、いち早く通常運針に戻り、現在時刻を認識することができる。
【００１５】
本発明の電子時計において、平面視で文字板の左半分の領域または右半分の領域に配置されて指針を備える小窓を有し、前記情報取得結果表示手段は、前記小窓に設けられた情報取得結果を示す表示を、前記小窓の指針で指示することで情報取得結果を表示し、前記小窓に設けられた情報取得結果を示す表示は、前記小窓が前記文字板の左半分の領域に位置する場合は、前記小窓の左半分の領域に設けられ、前記小窓が前記文字板の右半分の領域に位置する場合は、前記小窓の右半分の領域に設けられることが好ましい。
本発明では、文字板の左半分の領域または右半分の領域に配置されて指針を備える小窓を有し、情報取得結果表示手段は、小窓の情報取得結果を示す表示を小窓の指針で指示することで、情報取得結果を表示する。また、小窓の情報取得結果を示す表示は、小窓が文字板の左半分の領域に位置する場合には、小窓の左半分の領域に、小窓が右半分の領域に位置する場合には、小窓の右半分の領域に設けられる。
これにより、小窓の情報取得結果を示す表示を小窓の指針で指示することで情報取得結果が表示されるので、ユーザーは、容易に情報取得結果を認識できる。また、小窓が時計本体の文字板の右半分の領域および左半分の領域のいずれに位置する場合であっても、情報取得結果を示す表示が文字板の外縁側に位置することとなるので、例えば、電子時計の分針および短針がいずれの位置にあった場合でも、小窓の情報取得結果を示す表示を認識できる。すなわち、本発明では、小窓の情報取得結果を示す表示が見やすい位置に配置されているため、容易に情報取得結果を認識することができる。
【００１６】
本発明の電子時計は、情報取得結果表示手段は、前記第１情報および前記第２情報の内容を表示する情報内容表示部を備え、前記第１情報は、時刻情報または位置情報であり、前記第２情報は、閏秒に関する閏秒情報であり、前記情報内容表示部は、前記時刻情報、前記位置情報、前記閏秒情報をそれぞれ示す３つの位置と、前記３つの位置を指示する指針とを備え、前記３つの位置は、時計回りで前記時刻情報、前記位置情報、前記閏秒情報の順に設けられていることが好ましい。
本発明では、第１情報が時刻情報または位置情報のいずれかであり、第２情報が閏秒情報である。また、情報内容表示部は、時刻情報、位置情報、閏秒情報をそれぞれ示す３つの位置と当該位置を指示する指針とを備え、３つの位置は、時計回りで時刻情報、位置情報、閏秒情報の順に設けられている。これにより、時計回りに回転する指針を用いて情報の内容（情報の種類）を表示する場合に、時刻情報、位置情報、閏秒情報の順に指針が指示することになる。このため、第１情報である時刻情報および位置情報のいずれかの取得結果が表示された後、第２情報である閏秒情報の取得結果が表示されるので、よりユーザーが知りたい情報を第１情報として先に表示でき、ユーザーはいち早く第１情報の取得結果を認識することができる。また、時計回りで３つの位置が時刻情報、位置情報、閏秒情報の順で設けられるので、より容易に各情報の内容を認識できる。
【００１７】
本発明の電子時計は、少なくとも２つの指針を有し、前記情報取得結果表示手段は、前記２つの指針の一方の指針により情報取得結果を表示し、他方の指針で前記情報取得結果を表示する情報の内容を表示することが好ましい。
本発明では、情報取得結果表示手段は、一方の指針で第１情報および第２情報の取得結果を指示し、他方の指針で第１情報および第２情報の内容を指示できるので、ユーザーは２つの指針の指示を同時に確認することで、情報の内容およびその取得結果を容易に認識できる。
【００１８】
本発明の電子時計は、クロノグラフ機能を有し、文字板には、現在時刻の秒を示す秒針が設けられた小窓と、前記クロノグラフ機能における計測時間の分を示すクロノグラフ分針が設けられた小窓と、前記クロノグラフ機能における計測時間の時を示すクロノグラフ時針が設けられた小窓とが配置され、前記２つの指針の一方の指針は、前記秒針であり、前記２つの指針の他方の指針は、前記クロノグラフ時針であり、前記情報取得結果表示手段は、前記秒針で前記情報取得結果を表示し、かつ、前記クロノグラフ時針で前記情報取得結果を表示する情報の内容を表示することが好ましい。
本発明では、クロノグラフ機能を有し、文字板に３つの小窓および指針（秒針、クロノグラフ分針、クロノグラフ時針）が設けられる。情報取得結果表示手段は、秒針で情報取得結果を表示し、かつ、クロノグラフ時針で情報取得結果を表示する情報の内容を表示する。これにより、ユーザーは、秒針およびクロノグラフ時針を見るだけで、情報の内容および情報取得結果を容易に認識できる。
【図面の簡単な説明】
【００１９】
【図１】本発明の第１実施形態に係る電子時計を示す概略図。
【図２】第１実施形態に係る電子時計を表面側から見た平面図。
【図３】第１実施形態に係る電子時計の概略を示す部分断面図。
【図４】第１実施形態に係る電子時計の制御ブロック図。
【図５】第１実施形態における電子時計の現在時刻受信処理の実行手順を示すフローチャート。
【図６】図５に示す閏秒受信処理の実行手順を示すフローチャート。
【図７】第１情報および第２情報の取得結果表示の実行手順を示すフローチャート。
【図８】第１実施形態における通常時刻表示、第１情報の取得結果表示、第２情報の取得結果表示の表示態様を示す模式図。
【図９】本発明の第２実施形態に係る電子時計を表面側から見た平面図。
【図１０】第２実施形態における通常時刻表示、第１情報の取得結果表示、第２情報の取得結果表示の表示態様を示す模式図。
【図１１】第３実施形態における第１情報および第２情報の取得結果表示の実行手順を示すフローチャート。
【図１２】第３実施形態における通常時刻表示、第１情報の取得結果表示、第２情報の取得結果表示の表示態様を示す模式図。
【図１３】第４実施形態における第１情報および第２情報の取得結果表示の実行手順を示すフローチャート。
【図１４】第４実施形態における通常時刻表示、第１情報の取得結果表示、第２情報の取得結果表示の表示態様を示す模式図。
【図１５】第５実施形態における第１情報および第２情報の取得結果表示の実行手順を示すフローチャート。
【図１６】第５実施形態における通常時刻表示、第１情報の取得結果表示、第２情報の取得結果表示の表示態様を示す模式図。
【図１７】第６実施形態における第１情報および第２情報の取得結果表示の実行手順を示すフローチャート。
【図１８】第６実施形態における通常時刻表示、第１情報の取得結果表示、第２情報の取得結果表示の表示態様を示す模式図。
【図１９】本発明の第７実施形態に係る電子時計を表面側から見た平面図。
【発明を実施するための形態】
【００２０】
［第１実施形態］
以下、本発明の第１実施形態に係る電子時計を図面に基づいて説明する。
［電子時計を含むＧＰＳの概略構成］
図１は、第１実施形態に係る電子時計１０を示す概略図である。まず、電子時計１０が、外部信号としての電波を用いて、現在地の位置情報と、時刻情報とを求めるＧＰＳの概要を説明する。
【００２１】
電子時計１０は、ＧＰＳ衛星８からの電波（衛星信号）を受信して内部時刻を修正する腕時計であり、腕と接触する側の面（以下、裏面という）の反対側の面（以下、表面という）に時刻を表示する。ＧＰＳ衛星８は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００２２】
現在、約３１個のＧＰＳ衛星８（図１においては、４個のみを図示）が存在しており、衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００２３】
ＧＰＳ衛星８は原子時計を搭載しており、衛星信号には原子時計で計時された極めて正確なＧＰＳ時刻情報が含まれている。また、地上のコントロールセグメントにより各ＧＰＳ衛星８に搭載されている原子時計のわずかな時刻誤差が測定されており、衛星信号にはその時刻誤差を補正するための時刻補正パラメーターも含まれている。電子時計１０は、１つのＧＰＳ衛星８から送信された衛星信号を受信し、その中に含まれるＧＰＳ時刻情報と時刻補正パラメーターとを使用して得られた正確な時刻（時刻情報）を内部時刻とする。
【００２４】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。
すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００２５】
［電子時計の概略構成］
図２は、電子時計を表面側から見た平面図であり、図３は、電子時計の概略を示す部分断面図である。本実施形態の電子時計１０は、ワールドタイム機能とクロノグラフ機能とを備えている。
【００２６】
電子時計１０は、図２および図３に示すように、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング４０を介して、円盤状の文字板１１が時刻表示部分として配置されている。
【００２７】
文字板１１には、指針２１，２２，２３が備えられている。また、文字板１１には、中心より、２時方向に円形の第１小窓７０と指針７１とが、１０時方向に円形の第２小窓８０と指針８１とが、６時方向に円形の第３小窓９０と指針９１とが、４時方向に矩形のカレンダー小窓１５とが、設けられている。文字板１１、指針２１，２２，２３、第１小窓７０、第２小窓８０、第３小窓９０およびカレンダー小窓１５などは、カバーガラス３３を透して、視認可能となっている。
また、文字板１１の裏面側にはカレンダー車（日車）１６が配置され、このカレンダー車１６はカレンダー小窓１５から視認可能となっている。
【００２８】
外装ケース３０の側面には、文字板１１の中心より、８時方向の位置にＡボタン６１と、１０時方向の位置にＢボタン６２と、２時方向の位置にＣボタン６３と、４時方向の位置にＤボタン６４と、３時方向の位置にリュウズ５０とが、設けられている。このＢボタン６２は、本発明の第１操作部に該当し、Ａボタン６１が本発明の第２操作部に該当する。これらのＡボタン６１、Ｂボタン６２、Ｃボタン６３、Ｄボタン６４およびリュウズ５０が操作されることにより、操作に応じた操作信号が出力される。
【００２９】
電子時計１０は、図３に示すように、金属製の外装ケース３０の二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、図３では図示しない指針７１，８１，９１およびカレンダー車１６とを駆動する駆動機構１４０などが備えられている。
指針軸２５は、外装ケース３０の平面視中心を通り、表裏方向に延在する中心軸に沿って設けられている。
【００３０】
ダイヤルリング４０は、外周端が、ベゼル３２の内周面に接触しているとともに、一面がカバーガラス３３と並行している平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面と、によりドーナツ形状の収納空間が形成されており、この収納空間内には、リング状のアンテナ体１１０が収納されている。
【００３１】
このアンテナ体１１０は、リング形状の誘電体を基材として、これに金属のアンテナパターンをメッキや銀ペースト印刷などにより形成したものである。このアンテナ体１１０は、文字板１１の外周に配置されており、ベゼル３２の内周面側に配置され、さらにプラスチックで形成されたダイヤルリング４０、およびカバーガラス３３で覆われているため、良好な受信を確保することが可能となっている。誘電体としては、酸化チタンなどの高周波で使える誘電材料を樹脂に混ぜて成形することができ、これにより誘電体の波長短縮と相俟ってアンテナをより小型化できる。
【００３２】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
文字板１１と、駆動機構１４０が取り付けられている地板１２５との間には、光発電を行うソーラーパネル１３５が備えられている。ソーラーパネル１３５は、光エネルギーを電気エネルギー（電力）に変換する複数のソーラーセル（光発電素子）を直列接続した円形の平板である。また、ソーラーパネル１３５は、太陽光の検出機能も有している。文字板１１、ソーラーパネル１３５および地板１２５には、指針軸２５と、第１小窓７０の指針７１、第２小窓８０の指針８１および第３小窓９０の指針９１の指針軸（図示せず）とが貫通する穴が形成されているとともに、カレンダー小窓１５の開口部が形成されている。
【００３３】
駆動機構１４０は、地板１２５に取り付けられ、回路基板１２０で裏面側から覆われている。駆動機構１４０の第１駆動機構１４１（図４参照）は、ステップモーターと歯車などの輪列とを有し、当該ステップモーターが当該輪列を介して指針軸２５を回転させることにより、内部時計（現在時刻）の「分」および「時」を示す指針（分針）２２および指針（時針）２３が駆動する。また、図２に示す指針２１、第１小窓７０の指針７１、第２小窓８０の指針８１および第３小窓９０の指針９１も同様の駆動機構である第２〜６駆動機構１４２，１４３，１４４，１４５，１４６（図４参照）で駆動される。すなわち、第２駆動機構１４２はクロノグラフ機能の「秒」を示す指針（クロノグラフ秒針）２１を駆動し、第３駆動機構１４３はクロノグラフ機能の「分」を示す指針（クロノグラフ分針）７１を駆動し、第４駆動機構１４４は、内部時計の「秒」を示す指針（秒針）８１を駆動し、第５駆動機構１４５はクロノグラフ機能の「時」を示す指針（クロノグラフ時針）９１を駆動し、第６駆動機構１４６は、カレンダー小窓１５から視認されるカレンダー車１６を駆動する。
【００３４】
回路基板１２０は、本発明の受信手段および情報取得手段としての受信部（ＧＰＳモジュール）１２２、および制御部１５０を備えている。回路基板１２０の受信部１２２および制御部１５０が設けられた裏蓋３４側（裏面側）には、これらの回路部品を覆うための回路押さえ１２１が設けられている。また、リチウムイオン電池などの二次電池１３０は、地板１２５と裏蓋３４との間に設けられ、ソーラーパネル１３５が発電した電力で充電される。
なお、回路押さえ１２１には、二次電池１３０を外装ケース３０内に収めるための開口が設けられている。また、回路基板１２０とアンテナ体１１０との間には、環状に形成された地板受リング１１６が配置されている。
【００３５】
アンテナ体１１０は、給電点を通じて給電され、この給電点には、アンテナ接続ピン１１５が接続されている。アンテナ接続ピン１１５は金属で形成されたピン状のコネクターであり、地板受リング１１６を貫通して配置され、回路基板１２０に当接している。これにより、回路基板１２０と、収納空間内部のアンテナ体１１０とが、アンテナ接続ピン１１５で接続されている。
【００３６】
［電子時計の表示機構］
文字板１１の最外周には、図２に示すように、外周を６０分割にする目盛と、さらに、その目盛を５分割にする１／５目盛とが、表記されている。この目盛を用いて、指針２１はクロノグラフ機能の「秒」を表示し、指針２２は内部時計の「分」を表示し、指針２３は内部時計の「時」を表示する。なお、クロノグラフ機能は、Ａボタン６１、Ｂボタン６２、Ｃボタン６３と、Ｄボタン６４のいずれかのボタンの操作で、使用することができる。
【００３７】
文字板１１に設けられている、円形の第１小窓７０の外周には、外周を６０分割にする目盛と、「１０」から「６０」までの１０刻みの数字が表記されている。指針７１は、この目盛を用いてクロノグラフ機能の「分」を表示する。
【００３８】
文字板１１に設けられている円形の第２小窓８０の外周には、外周を６０分割にする目盛と、「０」から「１１」までの数字が表記されている。指針８１は、この目盛を用いて内部時計の「秒」を表示する。
第２小窓８０の５２秒の位置にアルファベットの「Ｙ」と、３８秒の位置にアルファベットの「Ｎ」の英字が表記されている。この英字は、小窓に設けられる情報取得結果を示す表示に該当し、衛星から受信した衛星信号に基づく各種情報（第１情報および第２情報）の取得結果（Ｙ：受信（取得）成功、Ｎ：受信（取得）失敗）と、衛星信号の自動受信（Ｙ：自動受信ＯＮ、Ｎ：自動受信ＯＦＦ）の設定とを表す。ユーザーがＢボタン６２を操作することにより、情報取得結果の表示モードに移行すると、指針８１が「Ｙ」または「Ｎ」のいずれか一方を指示し、衛星信号に基づく第１情報および第２情報の取得結果を表示する。また、ユーザーがＡボタン６１とＢボタン６２とを操作して、指針８１を「Ｙ」または「Ｎ」に合わせることで、衛星信号の自動受信のＯＮ／ＯＦＦを設定することができる。
【００３９】
また、第２小窓８０は、平面視、すなわち文字板１１を表面側から見たとき、文字板１１の左半分の領域に位置している。そのため、アルファベットの「Ｙ」，「Ｎ」は、幅の広い指針２２，２３が当該第２小窓８０に重なるように位置した場合でも、当該アルファベット「Ｙ」，「Ｎ」が認識し易いように第２小窓８０の左半分の領域の外縁近傍に配置されている。
なお、本実施形態では、５２秒の位置に「Ｙ」の表記が、３８秒の位置に「Ｎ」の表記が、設けられているが、これに限定されるものではない。「Ｙ」と「Ｎ」との表記は、受信結果表示８３を含む小窓が設けられる位置に応じて、視認しやすい位置に設けることが好ましい。例えば、第２小窓８０が文字板１１の右半分の領域に位置している場合には、アルファベット「Ｙ」，「Ｎ」を第２小窓８０の右半分の領域の外縁近傍に配置するようにしてもよい。
【００４０】
文字板１１に設けられている円形の第３小窓９０の外周について説明する。以下の外周の範囲の説明において、「ｎ時方向」（ｎは任意の自然数）とあるが、これは第３小窓９０の中央から円形の外周をみたときの方向である。
第３小窓９０の１２時方向から６時方向までの範囲の外周には、この範囲を６分割する目盛と「０」から「５」までの数字が表記されている。指針９１は、この目盛を用いて、クロノグラフ機能の「時」を表示する。なお、クロノグラフ機能では、指針２１，７１，９１を使用して５時間５９分５９秒までの計時が可能となっている。
【００４１】
第３小窓９０の６時方向から７時方向の範囲の外周には、「ＤＳＴ」の英字と「○」の記号が表記されている。ＤＳＴ（daylight saving time）は夏時間を意味する。これらの英字と記号とは、夏時間（ＤＳＴ：夏時間ＯＮ、○：夏時間ＯＦＦ）の設定を表す。ユーザーがリュウズ５０とＢボタン６２を操作して、指針９１を「ＤＳＴ」または「○」に合わせることで、電子時計１０に夏時間のＯＮ／ＯＦＦを設定することができる。
【００４２】
第３小窓９０の７時方向から９時方向までの範囲の外周には、円周に沿って、９時方向の基端が太く、７時方向の先端が細い三日月鎌状の記号９２が表記されている。この記号９２は二次電池１３０（図３参照）のパワーインジケーターであり、電池の残量に応じて、指針９１が基端、先端、中間のいずれかを指し示す。なお、指針９１がパワーインジケーターを指示するのは、電子時計１０が通常時刻を表示している場合や、時刻を手動で修正する場合などである。
【００４３】
第３小窓９０の９時方向から１０時方向までの範囲の外周には、飛行機形状の記号９３が表記されている。この記号は、機内モードを表す。航空機の離着陸時は、航空法によって衛星信号の受信が禁止されている。ユーザーはＡボタン６１を操作し、指針９１で記号９３（機内モード）を選択することで、電子時計１０の衛星信号の受信を停止させることができる。
【００４４】
第３小窓９０の１０時方向から１２時方向までの範囲の外周には、「１」の数字と「４＋」の記号が表記されている。これらの数字と記号は、衛星信号の受信の内容（受信モード）を表す。「１」はＧＰＳ時刻情報を受信し内部時刻が修正されること（測時モード）を、「４＋」はＧＰＳ時刻情報と軌道情報とを受信し、内部時刻と後述するタイムゾーンとが修正されること（測位モード）を意味する。
また、電子時計１０は、ユーザーがＢボタン６２を押すことで受信動作を行うが、Ｂボタン６２が押される時間に応じて受信モードを設定する。
通常時刻表示時に、Ｂボタン６２が第１設定時間（例えば、３秒以上〜６秒未満）押されると、電子時計１０は、駆動機構１４０により時刻を指示していた指針（秒針）８１を０秒位置に駆動し、指針９１を図２の「１」の位置に駆動する。そして、３秒以上押されていたＢボタン６２が第１設定時間内（押し始めてから６秒未満）に離されると、電子時計１０は測時モードでの受信処理を実行する。
一方、Ｂボタン６２が第１設定時間内で離されずに押され続けられた場合は、第１設定時間を超えた時点（６秒経過時）で、電子時計１０は、上記０秒位置にある指針８１を正転で３０秒位置に駆動し、指針９１を図２の「４＋」の位置に駆動する。そして、電子時計１０は測位モードでの受信処理を実行する。
さらに、通常時刻表示時に、Ｂボタン６２が第３設定時間（例えば３秒未満）押されると、後述するように、電子時計１０は直前に受信した衛星信号の受信結果を表示する。
【００４５】
カレンダー小窓１５は、文字板１１を矩形状に開口した開口部に設けられており、開口部からカレンダー車１６に印刷された数字が視認可能となっている。この数字は、年月日の「日」を表す。
【００４６】
ここで、協定世界時（ＵＴＣ）と、時差と、標準時と、タイムゾーン（Time zone）と
の関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間のタイムゾーンに属している。各タイムゾーンで使用されている標準時は、ＵＴＣと、ＵＴＣとの時差とで求めることができる。
【００４７】
上述したように、文字板１１には、６０分割された分および秒を表示する目盛が刻まれ、文字板１１の外周部を囲むダイヤルリング４０には、この目盛に沿って、協定世界時（ＵＴＣ）との時差を表す時差情報４５が数字と、数字以外の記号と、で表記されている。数字の時差情報４５は整数の時差であり、記号の時差情報４５は整数以外の時差であることを表している。指針２２，２３，８１で表示された内部時刻と、ＵＴＣとの時差は、リュウズ５０の操作により指針２１の指し示す時差情報４５で確認することができる。
また、ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。ここで、時差情報４５と都市情報３５との表記をタイムゾーン表示４６という。本実施形態では、全世界で使用されているタイムゾーンの数と等しいタイムゾーン表示４６が表記されている。
【００４８】
［電子時計の電気的機構］
図４は、電子時計の電気制御ブロック図である。
電子時計１０は、図４に示すように、ＣＰＵ（中央処理装置）１５３、ＲＡＭ（Random Access Memory）１５４、ＲＯＭ（Read Only Memory）１５５を基本構成とする制御部１５０と、受信部（ＧＰＳモジュール）１２２、入力装置１５７、駆動機構１４０（第１〜第６駆動機構１４１，１４２，１４３，１４４，１４５，１４６）の周辺装置とを備えている。これらの各装置は、データバス１５９を介してデータを送受信する。入力装置１５７は、図２に示すリュウズ５０、Ａボタン６１、Ｂボタン６２、Ｃボタン６３、Ｄボタン６４である。なお、電子時計１０は、電源となる充電可能な二次電池１３０（図３参照）を内蔵している。
【００４９】
受信部１２２は、アンテナ体１１０を備え、アンテナ体１１０を介して受信した衛星信号を処理してＧＰＳ時刻情報や位置情報を取得する。アンテナ体１１０は、地球の上空を所定の軌道で周回している複数のＧＰＳ衛星８（図１参照）から送信され、図３に示すカバーガラス３３とダイヤルリング４０とを通過した衛星信号の電波を受信する。
【００５０】
そして、受信部１２２は、図示を略すが、通常のＧＰＳ装置と同様に、ＧＰＳ衛星８（図１参照）から送信される衛星信号を受信してデジタル信号に変換するＲＦ（Radio Frequency）部と、受信信号の相関判定を実行して航法メッセージを復調するＢＢ部（ベース
バンド部）と、ＢＢ部で復調された航法メッセージ（衛星信号）からＧＰＳ時刻情報や位置情報（測位情報）を取得して出力する情報取得手段１２２Ｂと、を備えている。したがって、前記ＲＦ部およびＢＢ部によって、ＧＰＳ衛星８から送信される衛星信号を受信する受信手段１２２Ａが構成される。つまり、受信部１２２は、ＧＰＳ衛星８から送信される衛星信号を受信する受信手段１２２Ａと、受信結果に基づいてＧＰＳ時刻情報と位置情報とを出力する情報取得手段１２２Ｂとして機能する。
【００５１】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００５２】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００５３】
情報取得手段１２２Ｂは、ＢＢ部で復調した航法メッセージからＧＰＳ時刻情報や位置情報を取得する。航法メッセージには、プリアンブルデータおよびＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得手段１２２Ｂは、受信した航法メッセージから所定のデータ部分を抽出することにより、ＧＰＳ時刻情報や航法情報を取得することができる。
【００５４】
また、サブフレーム４および５は、全衛星の軌道情報（アルマナック）や電離層補正情報が含まれ、これらはデータ数が多いためにページ単位に分割されてサブフレームに収容される。すなわち、サブフレーム４および５により送信されるデータは、それぞれページ１〜２５に分割されており、フレームごとに異なるページの内容が順番に送られている。すべてのページの内容を送信するには２５フレームを必要とするため、航法メッセージの全情報を受信するには１２分３０秒の時間を要する。なお、閏秒情報（閏秒更新情報）は、サブフレーム４のページ１８に格納されており、当該サブフレーム４のページ１８を受信すれば、閏秒情報を取得できる。
【００５５】
ＲＡＭ１５４とＲＯＭ１５５とは、電子時計１０の記憶部である。
ＲＯＭ１５５には、ＣＰＵ１５３に実行されるプログラムやタイムゾーン情報などが記憶される。タイムゾーン情報とは、共通の標準時を使用する地域（タイムゾーン）の位置情報（緯度・経度）と、ＵＴＣに対する時差と、を管理するデータである。
ＣＰＵ１５３は、ＲＡＭ１５４を作業領域として使用し、ＲＯＭ１５５に記憶されたプログラムを実行することにより、各種の演算、制御および計時を行う。この計時は、例えば、不図示の発振回路からの基準信号のパルス数を計数することによって行われる。
なお、後述する時刻情報受信処理および位置情報受信処理により受信した第１情報及び第２情報の取得結果は、ＲＡＭ１５４に記憶される。
【００５６】
ＣＰＵ１５３は、ＧＰＳ時刻情報と時刻補正パラメーターとから算出した時刻情報と、ＧＰＳ時刻情報と軌道情報とから算出した現在地の位置情報（緯度、経度）と、ＲＯＭ１５５（記憶部）に記憶されたタイムゾーン情報とに基づいて内部時計を修正する。ＣＰＵ１５３は、内部時刻が表示されるように、第１駆動機構１４１および第４駆動機構１４４を駆動する制御を行う。これにより、電子時計１０には、指針２２，２３，８１（図２参照）により内部時刻が表示される。また、ＣＰＵ１５３は、情報取得手段１２２Ｂにより情報が取得できたか否かを表示する情報取得結果表示手段１５３Ａとして機能する。
【００５７】
［電子時計の時刻情報受信］
図５は、本実施形態における電子時計の現在時刻受信処理の実行手順を示すフローチャートである。まず、現在時刻受信処理の実行手順について説明する。
通常、電子時計１０は、図５に示すように、通常時刻表示、すなわち、現在時刻を表示している（Ｓ１１）。この状態において、ＣＰＵ１５３は、ユーザーによるＢボタン６２による受信操作、具体的にはＢボタン６２が第１設定時間押下されたか否かを判定する（Ｓ１２）。ユーザーによるＢボタン６２による受信操作がなされていない場合は、待機する（Ｓ１２でＮＯ）。
ユーザーによりＢボタン６２の受信操作がなされたと判定すると（Ｓ１２でＹＥＳ）、ＣＰＵ１５３は、受信部１２２を作動させて受信処理を行い、時刻取得を行う（Ｓ１３）。時刻情報は、すべてのサブフレーム（サブフレーム１〜５）に格納されているため、６秒間隔で受信できる。この際、指針９１は「１」の数字を指示し、時刻情報の受信モードを表示する。なお、本実施形態では、Ｂボタン６２の受信操作で時刻情報の取得処理を開始しているが、電子時計１０が屋外に移動したことをソーラーパネル１３５への太陽光照射の検知などで検出し、１日に１回の自動受信処理で時刻情報の取得処理を開始してもよい。また、予め定められた時間（定時）になった際に自動受信処理を開始してもよい。
【００５８】
そして、ＣＰＵ１５３は、受信部１２２による時刻情報の取得が終了したか否かを判定する（Ｓ１４）。なお、衛星信号を捕捉できない場合や、信号強度が低く時刻情報を取得できない場合は、予め設定されたタイムアウト時間（測時モードの場合は例えば３０秒）が経過した場合もステップＳ１４でＹＥＳと判定される。
ＣＰＵ１５３が時刻情報の取得が終了していないと判定すると（Ｓ１４でＮＯ）、時刻情報の取得が終了するまでステップＳ１４の処理を繰り返す。ＣＰＵ１５３が時刻情報の取得が終了したと判定すると（Ｓ１４でＹＥＳ）、この時刻情報の取得結果をＲＡＭ１５４に記憶し、時刻情報の取得結果を表示する（Ｓ１５）。具体的には、ＣＰＵ１５３は、時刻情報の取得結果を表示するため、第４駆動機構１４４を駆動させて時刻情報の取得結果が成功の場合には指針８１を「Ｙ」を指すように移動させ、時刻情報の取得結果が失敗の場合には指針８１を「Ｎ」を指すように移動させる。
次に、ＣＰＵ１５３は、時刻情報の取得結果を表示してから５秒間経過したか否かを判定する（Ｓ１６）。５秒間経過していない場合は（Ｓ１６でＮＯ）、時刻情報の取得結果を表示し続ける。これにより、少なくとも５秒間は取得結果が表示される。
そして、ＣＰＵ１５３は、時刻情報の取得結果の表示がなされてから５秒間経過したと判定すると（Ｓ１６でＹＥＳ）、閏秒情報の取得処理が必要か否かを判定する（Ｓ１７）。
【００５９】
ここで、閏秒を更新する日時として、一般には、７／１または１／１が設定されている。例えば、本実施形態では、閏秒更新日時の直前３ヶ月間、具体的には、４／１〜６／３０と、１０／１〜１２／３１とを、閏秒更新情報の取得処理が必要な期間として、ＲＡＭ１５４に設定記憶している。また、ＣＰＵ１５３は、内部時刻において日時情報のカウントもなされていることから、現在の日時（内部時刻）が閏秒更新日時の直前３か月間であるか否かを判定する。なお、日時情報は、サブフレーム１に記憶されているため、時刻情報取得時のサブフレームがサブフレーム１であった場合、当該サブフレーム１に記憶された日時情報に基づいて、上記判定を行うこととしてもよい。
そして、閏秒情報の取得処理が必要であると判定されると（Ｓ１７でＹＥＳ）、ＣＰＵ１５３は、閏秒取得処理を実行する（Ｓ１８）。一方、ステップＳ１７において、閏秒情報の取得処理が必要でないと判定されると（Ｓ１７でＮＯ）、ＣＰＵ１５３は、閏秒情報の取得処理を行うことなく、ステップＳ１１へと移行し、通常時刻（現在時刻）を表示する（Ｓ１１）。
【００６０】
［電子時計の閏秒情報受信］
図６は、図５における閏秒受信処理の実行手順を示すフローチャートである。次に、閏秒情報の取得処理の実行手順について説明する。
まず、ＣＰＵ１５３は、図６に示すように、第１駆動機構１４１および第４駆動機構１４４により指針２２，２３，８１を駆動して通常時刻表示を行う。また、ＣＰＵ１５３は、前述したステップＳ１３の時刻情報の取得時のデータから受信タイミングを算出する。具体的には、時刻情報の取得時のデータの受信ページやサブフレームを識別することで、ＧＰＳ衛星８から送信される１２分３０秒の全データのうち、閏秒補正データの含まれるサブフレーム４のページ１８の放送時間（送信タイミング）を算出する。したがって、ステップＳ１３で衛星信号を捕捉できていない場合など、閏秒情報の送信タイミングを把握できていない場合には、ＣＰＵ１５３はステップＳ１８の閏秒受信処理を実行しない。
【００６１】
そして、ＣＰＵ１５３は、ステップＳ１８１の通常時刻表示を継続しつつ、閏秒情報の送信タイミング、すなわち、閏秒情報の取得開始時刻になったか否かを判定（判定）する（Ｓ１８２）。これにより、閏秒情報の取得開始時刻になったと判定されると（Ｓ１８２でＹＥＳ）、ＣＰＵ１５３は、受信部１２２を駆動させ、閏秒情報を取得させる（Ｓ１８３）。閏秒情報の取得開始時刻になっていないと判定されると（Ｓ１８２でＮＯ）、閏秒情報の取得開始時刻になるまでステップＳ１８２の処理を繰り返す。
そして、ＣＰＵ１５３は、閏秒情報の取得が終了したか否かを判定し（Ｓ１８４）、閏秒情報の取得が終了したと判定されると（Ｓ１８４でＹＥＳ）、ＣＰＵ１５３は、閏秒情報の取得結果をＲＡＭ１５４に記憶し（Ｓ１８５）、閏秒情報の取得処理を終了する。なお、閏秒情報の取得開始から予め設定したタイムアウト時間（例えば３０秒）が経過した場合もステップＳ１８４でＹＥＳと判定し、ＣＰＵ１５３は、閏秒情報の取得処理を終了する。閏秒情報の取得が終了していない場合は（Ｓ１８４でＮＯ）、閏秒情報の取得が終了するまでステップＳ１８４の処理を繰り返す。
【００６２】
［電子時計の位置情報算出処理］
なお、図示はしていないが、電子時計１０は、受信部１２２を介して受信した衛星信号に基づいて、本発明の第１情報としての位置情報を取得することができる。具体的には、Ｂボタン６２が第２設定時間（６秒以上）押下されて受信操作が行われた場合に、電子時計１０は受信部１２２を駆動して衛星信号を受信して、ＧＰＳ時刻情報や軌道情報などを取得し、現在地の位置情報を算出する。また、位置情報算出処理に続けて上記閏秒情報受信処理を行うようにしてもよい。
【００６３】
［電子時計の情報取得結果表示］
以上に説明したように、電子時計１０は、衛星信号を受信して時刻情報や位置情報を取得した直後に取得結果を表示しているが、取得結果表示の５秒経過後に通常時刻を表示するモード（ステップＳ１１，Ｓ１８１）に移行するので、ユーザーは当該取得結果を認識できない場合がある。このため、通常時刻表示中に、ユーザーは、以下に示す情報取得結果表示処理を実行できる。
【００６４】
図７は、第１情報および第２情報の取得結果表示の実行手順を示すフローチャートであり、図８は、本実施形態の電子時計１０を模式化して示し、かつ、図７に示すフローチャートの実行手順にしたがって表示される電子時計の表示態様を示す図である。また、図８（Ａ）は、電子時計１０が通常時刻を表示する状態を示す図であり、図８（Ｂ）は、電子時計１０が第１情報の取得結果を表示する状態を示す図であり、図８（Ｃ）は、電子時計１０が第２情報の取得結果を表示する状態を示す図である。
なお、図８に示す電子時計１０の概略図において、第３小窓９０の外縁部分には、本発明の情報内容表示部としての「Ｔ」、「Ｐ」、「Ｌ」の記号を表示している。実施形態における電子時計１０では、「Ｔ」は図２の「１」に対応し、「Ｐ」は図２の「４＋」に対応し、「Ｌ」は図２の「０秒の位置」に対応する。図８では説明しやすいようにそれぞれ「Ｔ」、「Ｐ」、「Ｌ」の記号を表示した。
したがって、指針９１が図８に示す第３小窓９０の各文字が付された位置を指し示した場合に、これらの記号にて示される情報の取得結果が、第２小窓８０の指針８１により示されることとなる。すなわち、指針９１が「１」（図８では９時の方向）を指し示した場合、本発明の第１情報の１つである時刻情報の取得結果が指針８１により示され、指針９１が「４＋」（図８では１０時と１１時との間の方向）を指し示した場合、本発明の第１情報の他方である位置情報の取得結果が指針８１により示され、指針９１が「０秒の位置」（１２時の方向）を指し示した場合、本発明の第２情報である閏秒情報の取得結果が指針８１に示されることとなる。
なお、これらの文字「Ｔ」、「Ｐ」、「Ｌ」は、電子時計１０の第３小窓９０や文字板１１に実際に表示してもよい。この場合、図２の「１」「４＋」が表示されていなくてもよい。また、これらの位置が上記情報の取得結果を表示することについては、例えば、電子時計１０の取扱説明書等に明記されていれば、ユーザーは、「Ｔ」、「Ｐ」、「Ｌ」や、図２の「１」「４＋」が表示されていなくても、指針９１が指し示す位置によって、いずれの情報の取得結果が表示されているかを認識できる。
【００６５】
ＣＰＵ１５３は、図７に示すように、第１駆動機構１４１および第４駆動機構１４４で指針（時針）２３、指針（分針）２２、指針（秒針）８１を駆動させ、図８（Ａ）に示すように、通常時刻表示を行う（Ｓ２１）。そして、この状態において、ＣＰＵ１５３は、ユーザーによるＢボタン（第１操作部）６２の情報取得の結果表示操作（第３設定時間の押下操作）がなされたか否かを判定する（Ｓ２２）。Ｂボタン６２が操作されていない場合（Ｓ２２でＮＯ）、ＣＰＵ１５３は、通常時刻表示を継続する。
一方、ユーザーによりＢボタン６２の結果表示操作（具体的には、Ｂボタン６２を第３設定時間押下する操作）があったと判定すると（Ｓ２２でＹＥＳ）、ＣＰＵ１５３（情報取得結果表示手段１５３Ａ）は、第１情報の取得結果を表示する（Ｓ２３）。
ステップＳ２３では、ＣＰＵ１５３は、直近に取得した第１情報の種類をＲＡＭ１５４から読み出し、図８（Ｂ）に示すように、第４駆動機構１４４および第５駆動機構１４５により指針８１および指針９１を移動して、第１情報の取得結果を表示する。
図８（Ｂ）では、指針９１が「１」を指示し、指針８１が「Ｙ」を指示しているため、ユーザーは、直近に取得した情報が時刻情報であり、時刻情報の取得に成功していることを認識できる。
【００６６】
図７に戻って、ＣＰＵ１５３は、第１情報の取得結果が表示されている状態で、ユーザーによってＢボタン６２が操作されたか否かを判定する（Ｓ２４）。ステップＳ２４において、ユーザーによるＢボタン６２の操作が行われたと判定されない場合（Ｓ２４でＮＯ）、ＣＰＵ１５３は、第１情報（時刻情報）の取得結果表示を継続させる。
一方、ユーザーによりＢボタン６２が操作された判定すると（Ｓ２４でＹＥＳ）、ＣＰＵ１５３は、第２情報の取得結果を表示する（Ｓ２５）。
ステップＳ２５では、ＣＰＵ１５３は、閏秒情報の取得結果をＲＡＭ１５４から読み出し、図８（Ｃ）に示すように、第４駆動機構１４４および第５駆動機構１４５により指針８１および指針９１を移動して、第２情報（閏秒情報）の取得結果を表示する。
図８（Ｃ）では、指針９１が「０秒の位置」を指示し、指針８１が「Ｙ」を指示しているため、ユーザーは、第２情報が閏秒情報であり、閏秒情報の取得に成功していることを認識できる。
なお、ステップＳ２３およびステップＳ２５において、各指針８１，９１の移動は、同時であってもよいし、異なるタイミングであってもよい。例えば、情報の種類を示す指針９１が移動してから、取得結果の成功または失敗を表示する指針８１が移動してもよい。
【００６７】
なお、前述の閏秒更新情報の取得期間（例えば４／１〜６／３０、１０／１〜１２／３１）に閏秒情報の受信に１回成功すれば、新たな取得期間になるまでは、ＣＰＵ１５３は閏秒情報の取得に成功したと表示する。一方で、新たな取得期間になると、閏秒情報の取得成功結果は初期化され、その期間内に閏秒更新情報を取得するまでは、ＣＰＵ１５３は閏秒情報の取得に失敗したと表示する。
【００６８】
図７に戻って、ＣＰＵ１５３は、ステップＳ２５により閏秒情報（第２情報）の取得結果を表示してから、所定時間（例えば、５秒）が経過したか否かを判定する（Ｓ２６）。これにより、所定時間が経過していないと判定されると（Ｓ２６でＮＯ）、ＣＰＵ１５３は、第２情報の取得結果表示を継続し、所定時間が経過したと判定されると（Ｓ２６でＹＥＳ）、第１情報の取得結果および第２情報の取得結果の表示処理を終了させる。すなわち、ＣＰＵ１５３は、第５駆動機構１４５を駆動して、指針９１を図８（Ａ）に示す位置に移動させ、さらに第１駆動機構１４１および第４駆動機構１４４を駆動して、指針２２，２３，８１を移動して通常時刻表示を実行する。
【００６９】
［第１実施形態の作用効果］
上述した本発明の第１実施形態における電子時計１０によれば、以下の効果を奏する。
本実施形態では、通常時刻表示状態において、ユーザーがＢボタン６２を操作すると、情報取得結果モードに移行し、情報取得結果表示手段としてのＣＰＵ１５３が、直近の第１情報（時刻情報または位置情報）の取得結果を指針８１および指針９１で表示する。さらに、ユーザーがＢボタン６２を操作すると、ＣＰＵ１５３は第２情報（閏秒情報）の取得結果を指針８１および指針９１で表示する。
これにより、ユーザーは、第１情報の取得結果を認識した後、連続して第２情報の取得結果を認識できる。すなわち、本実施形態では、Ａボタン６１で受信モードの切り替え操作を行うことなく、Ｂボタン６２のみ操作することで複数の情報の取得結果を切り替えて連続して表示することにより、第１情報および第２情報の取得結果を認識するために行うユーザーの操作を容易にできる。
【００７０】
本実施形態では、第２情報が閏秒情報であるため、ユーザーは、閏秒情報の取得結果を容易に認識できる。すなわち、Ｂボタン６２を押して第１情報（時刻情報または位置情報）の取得結果を表示した後に、再度Ｂボタン６２を押すことで閏秒情報の取得結果も表示するため、ユーザーは閏秒情報の取得結果を容易に認識できる。このため、閏秒情報の取得に成功していない場合には、ユーザーに対して閏秒情報の取得を促すことができ、閏秒の更新日時までに閏秒情報を取得できる確率を向上できる。
【００７１】
本実施形態では、ユーザーがＢボタン６２を操作して第１情報の取得結果を表示した後、再度Ｂボタン６２を操作しない限りは、第１情報の取得結果の表示が維持される。このため、ユーザーは、第１情報の取得結果を確認してから、Ｂボタン６２を操作して第２情報の取得結果の表示に切り替えることができる。したがって、ユーザーは、第１情報の取得結果および第２情報の取得結果を確実に把握できる。
【００７２】
本実施形態では、第２小窓８０の「Ｙ」、「Ｎ」の表示を第２小窓８０の指針８１で指示することで、情報取得結果が表示されるので、ユーザーは、容易に情報取得結果を認識できる。
また、第２小窓８０は文字板１１の左半分の領域に配置され、「Ｙ」、「Ｎ」の表示は、第２小窓８０の左半分の領域に設けられている。これにより、「Ｙ」、「Ｎ」の表示が文字板１１の外縁側、すなわち、見やすい位置に配置されているため、容易に情報取得結果を認識することができる。
【００７３】
本実施形態では、指針８１が各情報の取得結果の成功および失敗を「Ｙ」、「Ｎ」のいずれかの記号を指し示すことにより表示し、指針９１が各情報の情報内容をその指し示す方向により表示する。これにより、第１情報および第２情報の取得結果と、第１情報および第２情報の内容とが異なる指針８１，９１により表示できるので、例えば、１つの指針で情報内容と取得結果を交互に表示する場合に比べて、ユーザーは、いずれの情報の取得結果が表示されているのかを容易に認識できる。
【００７４】
本実施形態では、第３小窓９０の指針９１で、「１」の位置、「４＋」の位置、および「０秒の位置」を指示することで、情報内容を表示している。そして、第３小窓９０の外周において、「１」の位置、「４＋」の位置、および「０秒の位置」は、その順序で時計回りに配置されている。これにより、「１」の位置、「４＋」の位置のいずれかを指針９１で指示して第１情報の情報内容を表示した後、指針９１は短い移動距離で「０秒の位置」を指示できるので、第２情報である閏秒情報の取得結果を迅速に表示できる。
また、時刻情報は約６秒、位置情報は約３０秒、閏秒情報は最大１２．５分の受信時間が必要となる。すなわち、時刻情報、位置情報、閏秒情報の順に受信に掛かる時間が長くなり、受信の困難性も高まる。そして、指針９１は時計回りに移動するため、「１」の位置、「４＋」の位置、「０秒の位置」の順に、その位置まで移動する時間も長くなる。このため、ユーザーに対して、時刻情報、位置情報、閏秒情報の順に受信時間が長くなることを直感的に理解させることができる。
【００７５】
本実施形態では、クロノグラフ機能を備えているため、文字板１１に３つの各小窓７０，８０，９０および指針７１，８１，９１が設けられており、ＣＰＵ１５３は、指針８１で情報取得結果を表示し、指針９１で情報取得結果を表示する情報の内容（時刻情報、位置情報、および閏秒情報）を表示する。これにより、指針８１および指針９１を、秒およびクロノグラフ時の表示と、情報取得結果および情報内容の表示とで兼用できるので、情報取得結果および情報内容の表示用の指針を別途設ける場合に比べて、省スペース化を実現できる。さらに、各小窓７０，８０，９０や指針７１，８１，９１の大きさも確保でき、ユーザーは、情報の内容および情報取得結果を容易に認識できる。
【００７６】
本実施形態では、第１情報である時刻情報および位置情報のいずれかの取得結果が表示された後、第２情報である閏秒情報の取得結果が表示される。したがって、閏秒情報に比べると、より重要である時刻情報または位置情報の取得結果が第１情報として先に表示されるので、ユーザーはいち早く第１情報の取得結果を認識することができる。
【００７７】
［第２実施形態］
次に、本発明の第２実施形態に係る電子時計２００について、図面に基づいて説明する。
図９は、本発明の第２実施形態に係る電子時計２００を表面側から見た平面図である。
第２実施形態の電子時計２００は、クロノグラフ機能を備えていないので、クロノグラフ用の秒針、分針、時針は設けられていない。このため、電子時計２００の文字板１２には、１つの小窓９０Ａが設けられている。小窓９０Ａには、本発明の情報内容表示部としての指針９１Ａおよび「Ｔ」、「Ｐ」、「Ｌ」の３つの記号が設けられている。
また、第１実施形態において、指針２４は、クロノグラフ秒針であったが、第２実施形態では、内部時刻を表示する秒針として機能する。また、文字板１２には、８分の位置に「Ｙ」の記号が設けられ、２３分の位置に「Ｎ」の記号が設けられている。
さらに、第２実施形態では、指針２２，２３は不図示の第１駆動機構により駆動され、指針２４は、不図示の第２駆動機構により駆動され、指針９１Ａは、不図示の第３駆動機構により駆動される。
なお、第１実施形態と第２実施形態において、同様の構成については同番号を付し、説明を省略する。したがって、第１実施形態と異なる点、すなわち、第１情報および第２情報の取得結果表示処理についてのみ、以下に詳しく説明する。
【００７８】
［電子時計２００の情報取得結果表示］
図１０は、本実施形態の電子時計２００の模式図である。図１０（Ａ）は、電子時計２００が通常時刻を表示する状態を示す図であり、図１０（Ｂ）は、電子時計２００が第１情報の取得結果を表示する状態を示す図であり、図１０（Ｃ）は、電子時計２００が第２情報の取得結果を表示する状態を示す図である。
なお、図９，１０に示すように、小窓９０Ａの外縁部分には、「Ｔ」、「Ｐ」、「Ｌ」の文字が表示されており、指針９１Ａが「Ｔ」を指し示した場合、時刻情報の取得結果が指針２４により示され、指針９１Ａが「Ｐ」を指し示した場合、位置情報の取得結果が指針２４により示され、指針９１Ａが「Ｌ」を指し示した場合、閏秒情報の取得結果が指針２４に示されることとなる。
【００７９】
電子時計２００における情報取得結果の表示処理は、図７に示す第１実施形態と同じであるため、図７も参照し、簡略して説明する。
ＣＰＵ１５３は、まず、第１駆動機構および第２駆動機構を駆動させ、指針２２，２３，２４により通常時刻表示をおこなう（Ｓ２１）。そして、この状態において、ＣＰＵ１５３は、ユーザーによってＢボタン６２を第３設定時間押下する操作が行われた場合（Ｓ２２でＹＥＳ）、第１情報の取得結果を表示する（Ｓ２３）。すなわち、ＣＰＵ１５３は、直近に取得した第１情報の種類をＲＡＭ１５４から読み出し、図１０（Ｂ）に示すように、第２駆動機構および第３駆動機構により指針２４および指針９１Ａを移動して、第１情報の取得結果を表示する。
図１０（Ｂ）では、指針９１Ａが「Ｔ」を指示し、指針２４が「Ｙ」を指示しているため、ユーザーは、直近に取得した情報が時刻情報であり、時刻情報の取得に成功していることを認識できる。
【００８０】
図７に戻って、ＣＰＵ１５３は、第１情報の取得結果が表示されている状態で、ユーザーによってＢボタン６２が操作されたか否かを判定する（Ｓ２４）。そして、ユーザーによりＢボタン６２が操作されたと判定すると（Ｓ２４でＹＥＳ）、ＣＰＵ１５３は、第２情報の取得結果を表示する（Ｓ２５）。
ステップＳ２５では、ＣＰＵ１５３は、閏秒情報の取得結果をＲＡＭ１５４から読み出し、図１０（Ｃ）に示すように、第２駆動機構および第３駆動機構により指針２４および指針９１Ａを移動して、第２情報（閏秒情報）の取得結果を表示する。
図１０（Ｃ）では、指針９１Ａが「Ｌ」を指示し、指針２４が「Ｙ」を指示しているため、ユーザーは、第２情報が閏秒情報であり、閏秒情報の取得に成功していることを認識できる。
【００８１】
図７に戻って、ＣＰＵ１５３は、閏秒情報（第２情報）の取得結果を表示してから、所定時間（例えば、５秒）が経過したか否かを判定し（Ｓ２６）、所定時間が経過したと判定されると（Ｓ２６でＹＥＳ）、第１情報の取得結果および第２情報の取得結果の表示処理を終了させ、指針２２，２３，２４による通常時刻表示に戻す。
【００８２】
［第２実施形態の作用効果］
本実施形態においても、Ｂボタン６２を操作するだけで第１情報および第２情報の取得結果を表示できるため、前記第１実施形態と同じ作用効果を奏することができる。
さらに、本実施形態では、小窓９０Ａ内に「Ｔ」、「Ｐ」、「Ｌ」の３種類の記号を表示しているので、指針９１Ａの指示を容易に確認できる。
さらに、第１実施形態の指針８１に比べて長い指針２４で情報取得結果を指示するため、指針２４をダイナミックに移動して指示することができ、ユーザーが情報取得結果を容易に認識できる。
【００８３】
［第３実施形態］
次に、本発明の第３実施形態に係る電子時計２００Ｂについて、図面に基づいて説明する。
第３実施形態に係る電子時計２００Ｂは、第２実施形態の電子時計２００と同じく、クロノグラフ機能を備えずに、１つの小窓９０Ａが設けられた時計であり、ＣＰＵ１５３による情報取得結果表示処理手順のみ異なる。
すなわち、第３実施形態の電子時計２００Ｂは、第２実施形態の電子時計２００に対し、第１情報の取得結果から第２情報の取得結果の表示切り替えをＢボタン６２を操作せずに行う点と、第２情報の取得結果の表示後に自動的に情報取得結果表示を終了させる点と、Ａボタン６１を操作した場合も情報取得結果表示を終了させる点が相違する。以下、図１１，１２を参照して説明する。
【００８４】
［電子時計の情報取得結果表示］
図１１は、第１情報および第２情報の取得結果表示の実行手順を示すフローチャートであり、図１２は、本実施形態の電子時計の模式図である。図１２（Ａ）は、電子時計２００Ｂが通常時刻を表示する状態を示す図であり、図１２（Ｂ）は、電子時計２００Ｂが第１情報の取得結果を表示する状態を示す図であり、図１２（Ｃ）は、電子時計２００Ｂが第２情報の取得結果を表示する状態を示す図である。
【００８５】
ＣＰＵ１５３は、まず、不図示の第１駆動機構および第２駆動機構を駆動させ、指針２２，２３，２４により通常時刻表示をおこなう（Ｓ２１）。そして、この状態において、ＣＰＵ１５３は、ユーザーによってＢボタン６２を第３設定時間押下する操作が行われた場合（Ｓ２２でＹＥＳ）、第１情報（時刻情報または位置情報）の取得結果を表示する（Ｓ３１）。
すなわち、ＣＰＵ１５３は、直近に取得した第１情報の種類をＲＡＭ１５４から読み出し、図１２（Ｂ）に示すように、不図示の第２駆動機構および第３駆動機構により指針２４および指針９１Ａを移動して、第１情報の取得結果を表示する。
図１２（Ｂ）では、指針９１Ａが「Ｐ」を指示し、指針２４が「Ｎ」を指示しているため、ユーザーは、直近に取得した情報が位置情報であり、位置情報の取得に失敗していることを認識できる。
【００８６】
図１１に戻って、ＣＰＵ１５３は、第１情報の取得結果が表示されている状態で、ユーザーによりＡボタン６１が操作されたか、または、第１情報の取得結果が表示されている状態で５秒経過したかを判定する（Ｓ３２）。これにより、Ａボタン６１の操作がなく、５秒経過したと判定すると（Ｓ３２で「５秒経過」）、ＣＰＵ１５３は、第２情報の取得結果表示を実行する（Ｓ３３）。一方、ユーザーによりＡボタン６１が操作されたと判定すると（Ｓ３２で「Ａボタン押下」）、ＣＰＵ１５３は、第２情報の取得結果を表示することなく、情報取得結果表示処理を終了させる。また、Ａボタン６１の操作がなく、かつ、５秒間経過していない場合（Ｓ３２でＮＯ）には、ＣＰＵ１５３は、ステップＳ３２の判定を繰り返す。
ステップＳ３３では、ＣＰＵ１５３は、閏秒情報の取得結果をＲＡＭ１５４から読み出し、図１２（Ｃ）に示すように、指針２４および指針９１Ａを移動して、第２情報（閏秒情報）の取得結果を表示する。
図１２（Ｃ）では、指針９１Ａが「Ｌ」を指示し、指針２４が「Ｙ」を指示しているため、ユーザーは、第２情報が閏秒情報であり、閏秒情報の取得に成功していることを認識できる。
【００８７】
そして、ＣＰＵ１５３は、第２情報の取得結果が表示されている状態で、ユーザーによりＡボタン６１が操作されたか、または、５秒経過したかを判定する（Ｓ３４）。これにより、Ａボタン６１の操作がなく、かつ、５秒間経過していない場合（Ｓ３４でＮＯ）には、ＣＰＵ１５３は、第２情報（閏秒情報）の取得結果表示を継続させる。
一方、Ａボタン６１が操作された場合、または、第２情報の取得結果が表示されている状態で５秒間経過したと判定された場合は、ステップＳ３４でＹＥＳと判定されるため、ＣＰＵ１５３は、情報取得結果表示処理を終了させ、指針２２，２３，２４による通常時刻表示に戻す。
【００８８】
［第３実施形態の作用効果］
本実施形態では、上記第１，２実施形態と同じ作用効果を奏する。
さらに、ＣＰＵ１５３は、第１情報の取得結果が表示された後、５秒間経過すると、自動的に第２情報の取得結果を表示するため、ユーザーの操作を軽減できる。すなわち、通常時刻表示時に、ユーザーがＢボタン６２を１回操作するだけで、第１情報の取得結果を表示し、その後、自動的に第２情報の取得結果を表示するため、ユーザーは、第１情報の取得結果および第２情報の取得結果を容易に認識することができる。
【００８９】
本実施形態では、ユーザーによりＡボタン６１の操作がなされると、その時点で表示されている第１情報の取得結果および第２情報の取得結果の表示を終了できる。したがって、所定時間が経過してから第１情報または第２情報の取得結果の表示を終了する場合に比べて、いち早く通常運針に戻り、現在時刻を認識したり、他の操作を行うことができる。
【００９０】
［第４実施形態］
次に、本発明の第４実施形態に係る電子時計２００Ｃについて、図面に基づいて説明する。
第４実施形態に係る電子時計２００Ｃは、第２，３実施形態と同様に、クロノグラフ機能を備えずに、１つの小窓９０Ａが設けられた時計であり、ＣＰＵ１５３による情報取得結果表示処理手順のみ異なる。
すなわち、第４実施形態の電子時計２００Ｃは、Ｂボタン６２を操作するごとに第１情報および第２情報の取得結果を交互に表示する点と、Ａボタン６１を操作することで第１情報および第２情報の取得結果表示を終了させる点が、第２実施形態の電子時計２００と異なる。
【００９１】
［電子時計の情報取得結果表示］
図１３は、第１情報および第２情報の取得結果表示の実行手順を示すフローチャートであり、図１４は、本実施形態の電子時計の模式図である。図１４（Ａ）は、電子時計２００Ｃが通常時刻を表示する状態を示す図であり、図１４（Ｂ）は、電子時計２００Ｃが第１情報の取得結果を表示する状態を示す図であり、図１４（Ｃ）は、電子時計２００Ｃが第２情報の取得結果を表示する状態を示す図である。
【００９２】
ＣＰＵ１５３は、まず、不図示の第１駆動機構および第２駆動機構を駆動させ、指針２２，２３，２４により通常時刻表示をおこなう（Ｓ２１）。そして、この状態において、ＣＰＵ１５３は、ユーザーによってＢボタン６２を第３設定時間押下する操作が行われた場合（Ｓ２２でＹＥＳ）、第１情報（時刻情報または位置情報）の取得結果を表示する（Ｓ４１）。
すなわち、ＣＰＵ１５３は、直近に取得した第１情報の種類をＲＡＭ１５４から読み出し、図１４（Ｂ）に示すように、指針２４，９１Ａを移動して、第１情報の取得結果を表示する。
図１４（Ｂ）では、指針９１Ａが「Ｔ」を指示し、指針２４が「Ｙ」を指示しているため、ユーザーは、直近に取得した情報が時刻情報であり、時刻情報の取得に成功していることを認識できる。
【００９３】
図１３に戻って、ＣＰＵ１５３は、第１情報の取得結果が表示されている状態で、ユーザーによりＡボタン６１もしくはＢボタン６２が操作されたか否かを判定する（Ｓ４２）。これにより、Ａボタン６１およびＢボタン６２が操作されない場合（Ｓ４２でＮＯ）には、ＣＰＵ１５３は、ステップＳ４２の判定を繰り返し、第１情報の取得結果を表示し続ける。
一方、ステップＳ４２において、ユーザーによりＡボタン６１が操作されたと判定すると（Ｓ４２で「Ａボタン押下」）、ＣＰＵ１５３は、第２情報の取得結果を表示することなく、情報取得結果表示処理を終了させる。
【００９４】
また、ステップＳ４２において、ユーザーによりＢボタン６２が操作されたと判定すると（Ｓ４２で「Ｂボタン押下」）、ＣＰＵ１５３は、第２情報の取得結果を表示する（Ｓ４３）。
ステップＳ４３では、ＣＰＵ１５３は、閏秒情報の取得結果をＲＡＭ１５４から読み出し、図１４（Ｃ）に示すように、指針２４および指針９１Ａを移動して、第２情報（閏秒情報）の取得結果を表示する。
図１４（Ｃ）では、指針９１Ａが「Ｌ」を指示し、指針２４が「Ｙ」を指示しているため、ユーザーは、第２情報が閏秒情報であり、閏秒情報の取得に成功していることを認識できる。
【００９５】
そして、ＣＰＵ１５３は、第２情報の取得結果が表示されている状態で、ユーザーによりＡボタン６１もしくはＢボタン６２が操作されたか否かを判定する（Ｓ４４）。Ａボタン６１およびＢボタン６２が操作されていない場合（Ｓ４４でＮＯ）は、ＣＰＵ１５３は、ステップＳ４４の判定を繰り返し、第２情報（時刻情報）の取得結果表示を継続させる。
また、ユーザーによりＡボタン６１が操作されたと判定された場合（Ｓ４４でＡボタン押下）、ＣＰＵ１５３は、情報取得結果表示処理を終了させ、指針２２，２３，２４による通常時刻表示に戻す。
【００９６】
一方、Ｂボタン６２の操作がなされたと判定すると（Ｓ４４で「Ｂボタン押下」）、ＣＰＵ１５３は、ステップＳ４１の処理に戻り、第１情報の取得結果を表示し、ステップＳ４１からステップＳ４４までの処理を繰り返す。
すなわち、本実施形態では、Ｂボタン６２を押下するごとに第１情報の取得結果および第２情報の取得結果が循環して交互に表示される。一方、第１情報の取得結果および第２情報の取得結果のいずれが表示されている状態であっても、Ａボタン６１が押下されると、現在表示している情報の取得結果表示を終了させ、通常時刻表示に戻る。
【００９７】
［第４実施形態の作用効果］
本実施形態では、上記第１実施形態、第２実施形態および第３実施形態の効果に加え、以下の効果を奏する。
本実施形態では、Ｂボタン６２を押下するごとに第１情報の取得結果および第２情報の取得結果が交互に表示されるので、ユーザーは、第１情報および第２情報の取得結果を繰り返し表示させて確認することができる。すなわち、前記各実施形態では、第２情報の取得結果を表示した後に、再度、第１情報の取得結果を確認したい場合には、一旦、情報取得結果表示処理を終了させて通常時刻表示に戻した後、再度、Ｂボタン６２を操作して情報取得結果表示処理を実行させる必要がある。これに対し、本実施形態では、情報取得結果表示処理を終了させずに、再度Ｂボタン６２を押下するだけで、各情報の取得結果を確認できる。したがって、第１情報および第２情報の取得結果を繰り返し表示させる場合の操作性を向上できる。
また、ユーザーのＢボタン６２の操作で情報取得結果を交互に表示できるので、ユーザーは確認したい情報取得結果を迅速にかつ容易に把握できる。
【００９８】
さらに、第１情報の取得結果および第２情報の取得結果のいずれが表示されている状態であっても、Ａボタン６１が押下されると、現在表示している情報の取得結果表示を終了させ、通常時刻表示に戻る。したがって、第１情報の取得結果および第２情報の取得結果を認識した時点で、これらの表示が不要となった場合にＡボタン６１を操作することにより、いち早く通常時刻表示に戻るので、他の操作を行うこともでき、ユーザーの操作性を高めることができる。
【００９９】
［第５実施形態］
次に、本発明の第５実施形態に係る電子時計２００Ｄについて、図面に基づいて説明する。
第５実施形態に係る電子時計２００Ｄは、第２〜４実施形態と同様に、クロノグラフ機能を備えずに、１つの小窓９０Ａが設けられた時計であり、ＣＰＵ１５３による情報取得結果表示処理手順のみ異なる。
すなわち、第５実施形態の電子時計２００Ｄは、所定時間（５秒）経過するごとに第１情報および第２情報の取得結果を交互に表示する点が、第４実施形態の電子時計２００Ｃと異なる。
【０１００】
［電子時計の情報取得結果表示］
図１５は、第１情報および第２情報の取得結果表示の実行手順を示すフローチャートであり、図１６は、本実施形態の電子時計の模式図である。図１６（Ａ）は、電子時計２００Ｄが通常時刻を表示する状態を示す図であり、図１６（Ｂ）は、電子時計２００Ｄが第１情報の取得結果を表示する状態を示す図であり、図１６（Ｃ）は、電子時計２００Ｄが第２情報の取得結果を表示する状態を示す図である。
【０１０１】
ＣＰＵ１５３は、まず、不図示の第１駆動機構および第２駆動機構を駆動させ、指針２２，２３，２４により通常時刻表示をおこなう（Ｓ２１）。そして、この状態において、ＣＰＵ１５３は、ユーザーによってＢボタン６２を第３設定時間押下する操作が行われた場合（Ｓ２２でＹＥＳ）、第１情報（時刻情報または位置情報）の取得結果を表示する（Ｓ５１）。
図１６（Ｂ）では、指針９１Ａが「Ｔ」を指示し、指針２４が「Ｙ」を指示しているため、ユーザーは、直近に取得した情報が時刻情報であり、時刻情報の取得に成功していることを認識できる。
【０１０２】
図１５に戻って、ＣＰＵ１５３は、第１情報の取得結果が表示されている状態で、ユーザーによりＡボタン６１が操作されたか、または、５秒経過したかを判定する（Ｓ５２）。これにより、Ａボタン６１の操作がなく、かつ、５秒間経過していない場合（Ｓ５２でＮＯ）には、ＣＰＵ１５３は、ステップＳ５２の判定を繰り返し、第１情報の取得結果を表示し続ける。
また、ステップＳ５２において、ユーザーによりＡボタン６１が操作されたと判定すると（Ｓ５２で「Ａボタン押下」）、ＣＰＵ１５３は、第２情報の取得結果を表示することなく、情報取得結果表示処理を終了させ、指針２２，２３，２４による通常時刻表示に戻す。
【０１０３】
また、ステップＳ５２において、ユーザーによりＡボタン６１が操作されずに５秒間経過したと判定すると（Ｓ５２で５秒経過）、ＣＰＵ１５３は、第２情報の取得結果を表示する（Ｓ５３）。
ステップＳ５３では、ＣＰＵ１５３は、閏秒情報の取得結果をＲＡＭ１５４から読み出し、図１６（Ｃ）に示すように、指針２４および指針９１Ａを移動して、第２情報（閏秒情報）の取得結果を表示する。
図１６（Ｃ）では、指針９１Ａが「Ｌ」を指示し、指針２４が「Ｙ」を指示しているため、ユーザーは、第２情報が閏秒情報であり、閏秒情報の取得に成功していることを認識できる。
【０１０４】
そして、ＣＰＵ１５３は、第２情報の取得結果が表示されている状態で、ユーザーによりＡボタン６１が操作されたか否か、または、５秒経過したか否かを判定する（Ｓ５４）。Ａボタン６１の操作がなく、かつ、５秒間経過していない場合（Ｓ５４でＮＯ）には、ＣＰＵ１５３は、ステップＳ５４の判定を繰り返し、第２情報（時刻情報）の取得結果表示を継続させる。
また、ユーザーによりＡボタン６１が操作されたと判定された場合（Ｓ５４でＡボタン押下）、ＣＰＵ１５３は、情報取得結果表示処理を終了させ、指針２２，２３，２４による通常時刻表示に戻す。
【０１０５】
一方、第２情報の取得結果が表示されている状態で５秒間経過したと判定されると（Ｓ５４で５秒経過）、ＣＰＵ１５３は、ステップＳ５１の処理に戻り、第１情報の取得結果を表示し、ステップＳ５１からステップＳ５４までの処理を繰り返す。
すなわち、本実施形態では、５秒が経過する度に第１情報の取得結果および第２情報の取得結果が循環して交互に表示される。一方、第１情報の取得結果および第２情報の取得結果のいずれが表示されている状態であっても、Ａボタン６１が押下されると、現在表示している情報の取得結果表示を終了させ、通常時刻表示に戻る。
【０１０６】
［第５実施形態の作用効果］
本実施形態では、上記第１〜第４実施形態の効果の他、以下の効果を奏する。
本実施形態では、Ｂボタン６２の操作で情報取得結果表示処理が実行されると、５秒経過する度に第１情報の取得結果および第２情報の取得結果が交互に表示される。したがって、ユーザーは、最初にＢボタン６２を操作した後は、何ら操作を行うことなしに、第１情報および第２情報の取得結果を繰り返し確認することができる。
また、第１情報の取得結果および第２情報の取得結果のいずれが表示されている状態であっても、Ａボタン６１が押下されると、現在表示している情報の取得結果表示を終了させ、通常時刻表示に戻る。したがって、第１情報の取得結果および第２情報の取得結果を認識した時点で、これらの表示が不要となった場合にＡボタン６１を操作することにより、いち早く通常時刻表示に戻るので、他の操作を行うこともでき、ユーザーの操作性を高めることができる。
【０１０７】
［第６実施形態］
次に、本発明の第６実施形態に係る電子時計２００Ｅについて、図面に基づいて説明する。
第６実施形態に係る電子時計２００Ｅは、第２〜５実施形態と同様に、クロノグラフ機能を備えずに、１つの小窓９０Ａが設けられた時計であり、ＣＰＵ１５３による情報取得結果表示処理手順のみ異なる。また、情報取得結果表示処理手順においては、ステップＳ６２およびステップＳ６４の処理のみ、第４実施形態のステップＳ４２およびステップＳ４４と異なる。
すなわち、第６実施形態の電子時計２００Ｅは、各情報の取得結果の表示後、各ボタン６１，６２の操作をすることなく５秒間経過すると、第１情報および第２情報の取得結果表示を終了させる点が、第４実施形態の電子時計２００Ｃと異なる。
【０１０８】
［電子時計の情報取得結果表示］
図１７は、第１情報および第２情報の取得結果表示の実行手順を示すフローチャートであり、図１８は、本実施形態の電子時計の模式図である。また、図１８（Ａ）は、電子時計２００Ｅが通常時刻を表示する状態を示す図であり、図１８（Ｂ）は、電子時計２００Ｅが第１情報の取得結果を表示する状態を示す図であり、図１８（Ｃ）は、電子時計２００Ｅが各情報の取得結果を表示した後、通常時刻を表示する状態を示す図である。
【０１０９】
ＣＰＵ１５３は、まず、指針２２，２３，２４により通常時刻表示をおこない（Ｓ２１）、この状態において、ユーザーによってＢボタン６２を第３設定時間押下する操作がなされたと判定すると（Ｓ２２でＹＥＳ）、ＣＰＵ１５３は、第１情報（時刻情報または位置情報）の取得結果表示を実行する（Ｓ６１）。
すなわち、ＣＰＵ１５３は、直近に取得した第１情報の種類をＲＡＭ１５４から読み出し、その情報（例えば、時刻情報）の取得結果を図１８（Ｂ）に示すように、各指針２４，９１Ａを移動して、第１情報の取得結果を表示する。
図１８（Ｂ）では、指針９１Ａが「Ｔ」を指示し、指針２４が「Ｙ」を指示しているため、ユーザーは、直近に取得した情報が時刻情報であり、時刻情報の取得が成功していることを認識できる。
【０１１０】
図１７に戻って、ＣＰＵ１５３は、第１情報の取得結果が表示されている状態で５秒間経過したか、もしくは当該５秒間の間にユーザーによりＡボタン６１もしくはＢボタン６２が操作されたか、否かを判定する（Ｓ６２）。これにより、各ボタン６１，６２の操作がされず、５秒間経過していない場合（Ｓ６２でＮＯ）には、ＣＰＵ１５３は、ステップＳ６２の判定を繰り返し、第１情報の取得結果を表示し続ける。
一方、ユーザーによりＡボタン６１が操作された、もしくは、各ボタン６１，６２の操作がなく５秒間経過したと判定すると（Ｓ６２でＡボタン押下・５秒間経過）、ＣＰＵ１５３は、第２情報の取得結果を表示することなく、情報取得結果表示処理を終了させ、指針２２，２３，２４による通常時刻表示（図１８（Ｃ）参照）に戻る。
【０１１１】
一方、ユーザーによりＢボタン６２の操作がなされたと判定すると（Ｓ６２でＢボタン押下）、ＣＰＵ１５３は、第２情報の取得結果を表示する（Ｓ６３）。すなわち、ＣＰＵ１５３は、第４実施形態のステップＳ４３と同様、図１４（Ｃ）に示すように各指針２４，９１Ａを移動して第２情報の取得結果を表示する。
そして、この状態でＣＰＵ１５３は、５秒間経過したか、もしくはユーザーにより各ボタン６１，６２が操作されたか否かを判定する（Ｓ６４）。これにより、各ボタン６１，６２の操作がされず、５秒間経過していない場合（Ｓ６４でＮＯ）には、ＣＰＵ１５３は、ステップＳ６４の判定を繰り返し、第２情報（閏秒情報）の取得結果表示を継続させる。
【０１１２】
また、ユーザーによりＡボタン６１の操作がなされたと判定された場合、および各ボタン６１，６２の操作がされず５秒間経過した場合（Ｓ６４Ａボタン押下・５秒間経過）には、ＣＰＵ１５３は、情報取得結果表示処理を終了させ、指針２２，２３，２４による通常時刻表示（図１８（Ｃ）参照）に戻る。
【０１１３】
一方、Ｂボタン６２の操作がなされたと判定すると（Ｓ６４でＢボタン押下）、ＣＰＵ１５３は、ステップＳ６１の処理に戻り、第１情報の取得結果を表示し、ステップＳ６１からステップＳ６４までの処理を繰り返す。
すなわち、本実施形態では、各情報の取得結果が表示されてから５秒以内にＢボタン６２が押下される度に、第１情報の取得結果および第２情報の取得結果が循環して交互に表示される。一方、いずれの取得結果が表示された場合であっても、当該表示から５秒経過すると第１情報の取得結果および第２情報の取得結果の表示を終了させ、通常時刻表示に戻る。また、５秒間が経過する前に、Ａボタン６１が押下されても、第１情報の取得結果および第２情報の取得結果の表示を終了させ、通常時刻表示に戻る。
【０１１４】
［第６実施形態の作用効果］
本実施形態では、上記第４実施形態の効果を奏する上、以下の効果がある。
上記第４実施形態では、情報取得結果表示処理を終了させるには、必ずＡボタン６１を操作する必要がある。これに対し、本実施形態では、各ボタン６１，６２の操作をすることなく５秒間経過すると、自動的に通常運針に戻る。したがって、例えば、ユーザーが第１情報の取得結果のみを確認したい場合には、必要な情報の取得結果を認識した後、各ボタン６１，６２の操作をすることなく放置したとしても、５秒間経過すれば現在時刻を確認できる。
【０１１５】
［第７実施形態］
次に、本発明の第７実施形態に係る電子時計３００について、図面に基づいて説明する。
図１９は、本発明の第７実施形態に係る電子時計３００を表面側から見た平面図である。
第７実施形態の電子時計３００は、クロノグラフ機能を備えていないので、クロノグラフ用の秒針、分針、時針は設けられていない。このため、電子時計３００の文字板１３には、本発明の情報内容表示部としての指針２４および「Ｔ」、「Ｐ」、「Ｌ」の３つの記号が設けられている。
また、第７実施形態においては、指針２４は、第２〜第６実施形態と同様に、内部時刻を表示する秒針として機能する。また、文字板１２には、８分の位置に「Ｙ」の記号が設けられ、２３分の位置に「Ｎ」の記号が設けられ、４５分の位置に「Ｔ」の記号が設けられ、５０分の位置に「Ｐ」の記号が設けられ、５５分の位置に「Ｌ」の記号が設けられている。
さらに、第７実施形態では、指針２２，２３は不図示の第１駆動機構により駆動され、指針２４は、不図示の第２駆動機構により駆動される。
なお、第１実施形態と第２実施形態において、同様の構成については同番号を付し、説明を省略する。したがって、第２〜第６実施形態と異なる点、すなわち、第１情報および第２情報の取得結果表示方法についてのみ、以下に詳しく説明する。
【０１１６】
本実施形態では、第２〜第６実施形態においてなされる情報取得結果表示処理のいずれの処理を実行してもよい。すなわち、本実施形態では、１つの指針２４により、情報取得結果を表示すべき情報内容及びその取得結果を表示する点が他の実施形態と異なる。
例えば、本実施形態において、通常時刻表示時に、Ｂボタン６２が第３設定時間（３秒未満）押下されると、電子時計３００は、第１情報の取得結果を表示する。この場合、ＣＰＵ１５３は、不図示の第２駆動機構を制御し、指針２４に第１情報の情報内容を表示する「Ｔ」又は「Ｐ」の記号を指示させる。その後、例えば、所定時間（例えば５秒）経過する、もしくは、Ｂボタン６２が押下されると、ＣＰＵ１５３は、不図示の第２駆動機構を制御し、指針２４に第１情報（時刻情報もしくは位置情報）の取得結果を「Ｙ」または「Ｎ」の記号を指示させることにより表示する。
【０１１７】
また、本実施形態において、第１情報の取得結果が表示された後、所定時間（例えば５秒）経過する、もしくは、Ｂボタン６２が押下されると、電子時計３００は、第２情報の取得結果を表示する。この場合、ＣＰＵ１５３は、不図示の第２駆動機構を制御し、指針２４に第２情報の情報内容を表示する「Ｌ」の記号を指示させる。その後、所定時間経過するか、もしくはＢボタン６２が押下されると、ＣＰＵ１５３は、不図示の第２駆動機構を制御し、指針２４に第２情報（閏秒情報）の取得結果を「Ｙ」または「Ｎ」の記号を指示させることにより表示する。
【０１１８】
［第７実施形態の作用効果］
本実施形態によれば、１つの指針２４であっても、第１〜第６実施形態と同様の効果を奏する上、以下の効果を奏する。
本実施形態では、第１情報及び第２情報の情報内容を表示する「Ｔ」、「Ｐ」、「Ｌ」の記号が、第１〜第６実施形態の電子時計より大きく文字板１３に表示されるので、視認性が高まり、第１及び第２情報の情報取得結果をより認識しやすくすることができる。
本実施形態では、１つの指針２４により第１情報及び第２情報の取得結果を表示できるので、電子時計３００の部品点数を削減することができる。従って、電子時計３００の製造工程を簡略化でき、生産性の向上が可能となる。
【０１１９】
［変形例］
なお、本発明は前述の実施形態に限定されるものではなく、本発明の目的を達成できる範囲での変形、改良等は本発明に含まれるものである。
上記第１実施形態では、第２小窓８０を文字板１１の左半分の領域に設けていたがこれに限られない。例えば、第２小窓８０を文字板１１の右半分の領域に設けてもよい。この場合、第２小窓８０の右半分の領域に記号「Ｙ」、「Ｎ」を表示すればよい。
同様に、第２小窓８０が文字板１１の上半分の領域に設けられている場合は、記号「Ｙ」、「Ｎ」も第２小窓８０の上半分の領域に設ければよく、第２小窓８０が文字板１１の下半分の領域に設けられている場合は、記号「Ｙ」、「Ｎ」も第２小窓８０の下半分の領域に設ければよい。すなわち、小窓における記号「Ｙ」、「Ｎ」の表示位置が、文字板１１の外縁側に位置するので、例えば、電子時計の分針および時針がいずれの位置にあった場合でも、記号「Ｙ」、「Ｎ」を認識できる。
【０１２０】
上記第１実施形態では、現在時刻の「秒」を表示する第２小窓８０および指針８１により、第１情報および第２情報の取得結果を表示していたが、例えば、第１小窓７０および指針７１により、第１情報および第２情報の取得結果を表示してもよい。さらに、第２〜第６実施形態と同様に、指針２１で取得結果を表示してもよい。
また、第３小窓９０および指針９１により、第１情報および第２情報の内容を表示していたが、例えば、第１小窓７０および指針７１により、第１情報および第２情報の内容を表示してもよい。
【０１２１】
また、上記第２〜第６実施形態において、Ａボタン６１およびＢボタン６２をケース３１の右側に配置していたが、ボタン６１，６２をケース３１の左側に配置してもよい。
【０１２２】
上記第２〜第６実施形態において、小窓９０Ａの外縁に時計回りで時刻情報「Ｔ」、位置情報「Ｐ」、閏秒情報「Ｌ」の順に表示していたが、これに限られない。例えば、時計回りで各記号「Ｌ」、「Ｐ」、「Ｔ」の順に表示してもよい。
【０１２３】
上記各実施形態において、所定時間を５秒間としたが、これに限られない。例えば、３秒間でもよいし、１０秒間でもよい。なお、これらの所定時間をユーザーの操作によって自由に設定できるようにしてもよい。これにより、ユーザーの操作性および第１情報の取得結果および第２情報の取得結果の認識性をより高めることができる。
【０１２４】
上記各実施形態において、第１情報を時刻情報および位置情報のいずれかとし、第２情報を閏秒情報としたが、これに限られない。例えば、第１情報を時刻情報とし、第２情報を位置情報としてもよい。
また、第１情報および第２情報として、時刻情報、位置情報、閏秒情報を例示したが、これに限られない。例えば、週情報を第１情報および第２情報のいずれかとしてもよい。
【０１２５】
上記各実施形態において、Ｂボタン６２が第３設定時間押されて第１情報の取得結果が表示された後は、所定時間経過する、もしくは、その後Ｂボタン６２の操作（第１〜第３設定時間の全てを含む時間の操作）がされた際に、第２情報の取得結果表示を行うこととしたが、これに限られない。例えば、第１情報の取得結果の表示中に、ユーザーがＢボタン６２を第１設定時間もしくは第２設定時間押下する操作（受信操作）を行った場合は、各設定時間に応じた受信処理を実行するようにしてもよい。すなわち、第１情報の取得結果が表示された後、Ｂボタン６２を第１設定時間（３秒以上６秒未満）押下すると、電子時計１０は、測時受信を行い、Ｂボタン６２を第２設定時間（６秒以上）押下すると、電子時計１０は、測位受信を行うようにしてもよい。
なお、この場合、第２情報の取得結果表示を行う場合は、Ｂボタン６２を第３設定時間（３秒未満）押下するように設定しておけばよい。これによれば、第１情報の取得結果を認識した直後に、受信処理を実行できるので、よりユーザーの利便性を高めることができる。
【０１２６】
上記第１〜第６実施形態において、第１情報の取得結果および第２情報の取得結果と、各情報の内容とを異なる指針８１，９１もしくは指針２４，９１Ａにより表示していたがこれに限られない。
例えば、第１情報の取得結果および情報内容を２つの指針で指示し、第２情報の取得結果および情報内容を他の２つの指針で指示することで、計４つの指針を用いてもよい。
さらに、情報内容は１つの指針で切り替えて指示し、第１情報の取得結果および第２情報の取得結果は、他の２つの指針で指示してもよい。
要するに、第１情報の取得結果を表示した後に、第２情報の取得結果を表示できるものであればよい。
【符号の説明】
【０１２７】
８…ＧＰＳ衛星、１０，２００，２００Ｂ，２００Ｃ，２００Ｄ，２００Ｅ，３００…電子時計、１１，１２，１３…文字板、１２２…受信部、１２２Ａ…受信手段、１２２Ｂ…情報取得手段、１５３…ＣＰＵ、１５３Ａ…情報取得結果表示手段、２１…指針、６１…Ａボタン（第２操作部）、６２…Ｂボタン（第１操作部）、８０…第２小窓、８１…指針、９０…第３小窓、９０Ａ…小窓、９１，９１Ａ…指針。
【図１】
2018105882.tif 000003
【図２】
2018105882.tif 000004
【図３】
2018105882.tif 000005
【図４】
2018105882.tif 000006
【図５】
2018105882.tif 000007
【図６】
2018105882.tif 000008
【図７】
2018105882.tif 000009
【図８】
2018105882.tif 000010
【図９】
2018105882.tif 000011
【図１０】
2018105882.tif 000012
【図１１】
2018105882.tif 000013
【図１２】
2018105882.tif 000014
【図１３】
2018105882.tif 000015
【図１４】
2018105882.tif 000016
【図１５】
2018105882.tif 000017
【図１６】
2018105882.tif 000018
【図１７】
2018105882.tif 000019
【図１８】
2018105882.tif 000020
【図１９】
2018105882.tif 000021
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
衛星信号を受信する受信手段と、
前記受信手段で受信した衛星信号に基づいて情報を取得する情報取得手段と、
前記情報取得手段による前記情報の取得結果を表示する情報取得結果表示手段と、
平面視で文字板の左半分の領域または右半分の領域に配置されて指針を備える小窓と、を有し、
前記情報取得結果表示手段は、前記小窓に設けられた情報取得結果を示す表示を、前記小窓の指針で指示することで情報取得結果を表示し、
前記小窓に設けられた情報取得結果を示す表示は、
前記小窓が前記文字板の左半分の領域に位置する場合は、前記小窓の左半分の領域に設けられ、
前記小窓が前記文字板の右半分の領域に位置する場合は、前記小窓の右半分の領域に設けられることを特徴とする電子時計。
【請求項２】
衛星信号を受信する受信手段と、
前記受信手段で受信した衛星信号に基づいて情報を取得する情報取得手段と、
前記情報取得手段による前記情報の取得結果を表示する情報取得結果表示手段と、
平面視で文字板の６時方向から１２時方向までの領域であって９時方向を含む第１領域、または、１２時方向から６時方向までの領域であって３時方向を含む第２領域に配置されて指針を備える小窓と、を有し、
前記情報取得結果表示手段は、前記小窓に設けられた情報取得結果を示す表示を、前記小窓の指針で指示することで情報取得結果を表示し、
前記小窓に設けられた情報取得結果を示す表示は、
前記小窓が前記文字板の前記第１領域に位置する場合は、前記小窓の６時方向から１２時方向までの領域であって９時方向を含む領域に設けられ、
前記小窓が前記文字板の前記第２領域に位置する場合は、前記小窓の１２時方向から６時方向までの領域であって３時方向を含む領域に設けられることを特徴とする電子時計。
【請求項３】
請求項１または請求項２に記載の電子時計において、
前記情報は、閏秒に関する閏秒情報であることを特徴とする電子時計。
【請求項４】
請求項１から請求項３のいずれか一項に記載の電子時計において、
ユーザーによって操作される第１操作部を有し、
前記情報取得結果表示手段は、
前記第１操作部が操作された場合に、前記情報の取得結果を表示することを特徴とする電子時計。
【請求項５】
請求項４に記載の電子時計において、
前記情報取得結果表示手段は、前記情報の取得結果を表示した後、所定時間内に前記第１操作部の操作がない場合に、情報取得結果の表示を終了することを特徴とする電子時計。
【請求項６】
請求項１から請求項５のいずれか一項に記載の電子時計において、
ユーザーによって操作される第２操作部を有し、
前記情報取得結果表示手段は、前記第２操作部が操作された場合に、情報取得結果の表示を終了することを特徴とする電子時計。
【請求項７】
請求項１から請求項６のいずれか一項に記載の電子時計において、
少なくとも２つの指針を有し、
前記情報取得結果表示手段は、前記２つの指針の一方の指針により前記情報取得結果を表示し、他方の指針で前記情報取得結果を表示する情報の内容を表示することを特徴とする電子時計。
【請求項８】
請求項７に記載の電子時計において、
クロノグラフ機能を有し、
前記文字板には、現在時刻の秒を示す秒針が設けられた小窓と、前記クロノグラフ機能における計測時間の分を示すクロノグラフ分針が設けられた小窓と、前記クロノグラフ機能における計測時間の時を示すクロノグラフ時針が設けられた小窓とが配置され、
前記２つの指針の一方の指針は、前記秒針であり、
前記２つの指針の他方の指針は、前記クロノグラフ時針であり、
前記情報取得結果表示手段は、前記秒針で前記情報取得結果を表示し、かつ、前記クロノグラフ時針で前記情報取得結果を表示する情報の内容を表示することを特徴とする電子時計。